(57)【要約】【課題】建物の外壁１のガラス窓２周辺の温度環境を季節等に応じてコントロールでき、その断熱体及び蓄熱体の組み合わせの切換えを容易に行い得るようにする。【解決手段】建物のガラス窓２の内側に施工される多機能建具Ａは、ガラス窓２の室内側にスライド可能に設けられかつルーバー１９の各羽根板２０内に断熱材２１を有する断熱戸１５と、この断熱戸１５よりも室内側にスライド可能に設けられ、内部に蓄熱材４１を有する蓄熱戸３０とを備え、両戸１５，３０は、ガラス窓２を覆う閉じ位置と、ガラス窓２を覆わない開き位置との間で互いに独立してスライド移動可能である。両戸１５，３０の開閉切換えパターンは、夏季では、蓄熱戸３０が開き位置に移動しかつ断熱戸１５が閉じ位置に移動する一方、冬季の昼間では、断熱戸１５が開き位置に移動しかつ蓄熱戸３０が閉じ位置に移動し、夜間では、断熱戸１５及び蓄熱戸３０が閉じ位置に移動する。【選択図】図１
2017089166.tif 000002
【特許請求の範囲】
【請求項１】
建物の外壁の開口部に設けられたガラス窓の室内側に移動可能に設けられ、内部に断熱材を有する断熱戸と、
上記断熱戸よりも室内側に移動可能に設けられ、内部に蓄熱材を有する蓄熱戸とを備え、
上記断熱戸及び蓄熱戸は、上記ガラス窓に重なるように配置されて該ガラス窓を覆う閉じ位置と、ガラス窓に重ならないように配置されて該ガラス窓を覆わない開き位置との間で互いに独立して移動可能に設けられていることを特徴とする多機能建具。
【請求項２】
請求項１において、
断熱戸及び蓄熱戸の開閉切換えパターンは、
夏季では、蓄熱戸が開き位置に移動しかつ断熱戸が閉じ位置に移動する一方、
冬季の昼間では、断熱戸が開き位置に移動しかつ蓄熱戸が閉じ位置に移動し、冬季の夜間では、断熱戸及び蓄熱戸が閉じ位置に移動するように構成されていることを特徴とする多機能建具。
【請求項３】
請求項１又は２において、
断熱戸は、内部空間に断熱材が充填された羽根板を有する開閉式のルーバーを備えていることを特徴とする多機能建具。
【請求項４】
請求項１〜３のいずれか１つにおいて、
蓄熱戸は、一部に通気口を有し、残部の内部に蓄熱材を有することを特徴とする多機能建具。
【請求項５】
請求項１〜４のいずれか１つにおいて、
断熱戸の室内側面に熱線反射層が設けられていることを特徴とする多機能建具。
【請求項６】
請求項１〜５のいずれか１つにおいて、
蓄熱戸の蓄熱材は、潜熱蓄熱材であることを特徴とする多機能建具。
【請求項７】
請求項１〜６のいずれか１つにおいて、
ガラス窓と断熱戸との間に熱緩衝空間が形成されていることを特徴とする多機能建具。
【発明の詳細な説明】
【技術分野】
【０００１】
本発明は、建物外壁のガラス窓の室内側に施工される多機能建具に関するものである。
【背景技術】
【０００２】
従来、例えば特許文献１に示されているように、建物における外壁のガラス窓近くの室内にコンクリート等の蓄熱体を設置してパッシブ型ソーラーコレクタを構成するとともに、ガラス窓の内側に開閉可能な透光性を有する断熱ボードを設け、室内を暖めるときには、断熱ボードを取り外して、ガラス窓を透過した日光を蓄熱体に照射させて蓄熱する一方、冬季の曇天時や夜間時には、断熱ボードによりガラス窓を閉じ、ガラス窓から入射した自然光を断熱ボードを経て室内に入射させながら、室内から屋外に放射される熱を断熱ボードにより遮断するようにすることが知られている。
【０００３】
また、特許文献２には、建物外壁のガラス窓の室内側に設置される断熱内窓として、断熱板の上下端部をそれぞれ鴨居及び敷居により摺動可能に支持し、断熱板の一方の表面を熱反射性面としたものが提案されている。
【先行技術文献】
【特許文献】
【０００４】
【特許文献１】実公昭６３−４６５６４号公報
【特許文献２】実用新案登録第３１８４２９９号公報
【発明の概要】
【発明が解決しようとする課題】
【０００５】
しかし、上記特許文献１のものでは、蓄熱体が固定状態で常時設置されているので、夏季には蓄熱体が雰囲気温度によって蓄熱されてしまい、却って熱負荷が高められる（室内環境が悪化する）難がある。しかも、断熱ボードはその不使用時に別の場所に保管しておく必要があり、その断熱ボードの使用時及び不使用時の切換えに手間を要する面倒が生じる。
【０００６】
一方、特許文献２のものでは、断熱内窓の断熱板が摺動可能であるので、その摺動によって断熱板をガラス窓を覆う位置と覆わない位置とに容易に移動させることができ、その切換えの手間はかからない。しかし、その反面、特許文献２のものでは、断熱板を有する断熱内窓が設けられているだけで蓄熱体が設けられておらず、断熱体及び蓄熱体を組み合わせて窓周辺の温度環境をコントロールをすることができないという問題が生じる。
【０００７】
本発明は斯かる諸点に鑑みてなされたもので、その目的は、ガラス窓の内側に施工される建具に改良を加えることにより、断熱体及び蓄熱体の配置を組み合わせてガラス窓周辺の温度環境を季節等に応じてコントロールでき、その断熱体及び蓄熱体の組み合わせの切換えをも容易に行い得るようにすることにある。
【課題を解決するための手段】
【０００８】
上記の目的を達成するために、この発明では、ガラス窓の内側に施工される建具として、内部に断熱材を有する断熱戸と、内部に蓄熱材を有する蓄熱戸とを組み合わせて設け、これら２種類の戸を閉じ位置及び開き位置間で独立して移動可能にするようにした。
【０００９】
具体的には、第１の発明は多機能建具に係り、この多機能建具は、建物の外壁の開口部に設けられたガラス窓の室内側に移動可能に設けられかつ内部に断熱材を有する断熱戸と、この断熱戸よりも室内側に移動可能に設けられ、内部に蓄熱材を有する蓄熱戸とを備え、上記断熱戸及び蓄熱戸は、上記ガラス窓に重なるように配置されて該ガラス窓を覆う閉じ位置と、ガラス窓に重ならないように配置されて該ガラス窓を覆わない開き位置との間で互いに独立して移動可能に設けられていることを特徴とする。
【００１０】
この第１の発明では、断熱戸及び蓄熱戸が独立して閉じ位置及び開き位置に移動可能であるので、断熱材を有する断熱戸と内部に蓄熱材を有する蓄熱戸との開閉位置を組み合わせ、例えば夏季では、蓄熱戸が開き位置に移動しかつ断熱戸が閉じ位置に移動する一方、冬季の昼間では、断熱戸が開き位置に移動しかつ蓄熱戸が閉じ位置に移動し、冬季の夜間では、断熱戸及び蓄熱戸が閉じ位置に移動するように組み合わせることで、ガラス窓周辺の温度環境を季節等に応じてコントロールすることできる。
【００１１】
また、断熱戸と蓄熱戸とはいずれも建具の戸としての形態を有するので、その戸を通常の戸と同様に開閉操作するだけで断熱戸と蓄熱戸との開閉位置が組み合わされるようになり、その組み合わせの切換えを容易に行うことができる。
【００１２】
第２の発明は、第１の発明において、上記断熱戸及び蓄熱戸の開閉切換えパターンは、夏季では、蓄熱戸が開き位置に移動しかつ断熱戸が閉じ位置に移動する一方、冬季の昼間では、断熱戸が開き位置に移動しかつ蓄熱戸が閉じ位置に移動し、冬季の夜間では、断熱戸及び蓄熱戸が閉じ位置に移動するように構成されていることを特徴とする。
【００１３】
この第２の発明では、夏季において、蓄熱戸が開き位置に移動しかつ断熱戸が閉じ位置に移動することで、閉じ位置にある断熱戸によりガラス窓の部分が断熱され、例えば冷房で冷やした室内の冷気の熱がガラス窓の部分を経て屋外に逃げるのを抑制することができる。
【００１４】
また、冬季の昼間では、断熱戸が開き位置に移動しかつ蓄熱戸が閉じ位置に移動することで、ガラス窓から入射した太陽光の熱が蓄熱戸の蓄熱材に蓄熱され、この蓄熱材に蓄熱された熱を室内に放熱して室内を暖めることができる。また、冬季の夜間では、断熱戸及び蓄熱戸がいずれも閉じ位置に移動することで、昼間に蓄熱戸の蓄熱材に蓄熱された熱が屋外に逃げるのは断熱戸によって抑制され、室内のみに放熱させて室内を暖めることができる。
【００１５】
第３の発明は、第１又は第２の発明において、上記断熱戸は、内部空間に断熱材が充填された羽根板を有する開閉式のルーバーを備えていることを特徴とする。
【００１６】
この第３の発明では、例えば夏季に断熱戸が閉じ位置にあるときに、ルーバーを開くことで、この開いたルーバーによって断熱戸の両側が連通した状態となり、断熱戸が閉じ位置にあっても光や空気、風等を室内に取り入れることができる。ルーバーを閉じることで、ガラス窓の部分が断熱戸のルーバーにおける羽根板内の断熱材により断熱され、例えば冷房で冷やした室内の冷気の熱が屋外に逃げるのを抑制することができる。
【００１７】
第４の発明は、第１〜第３の発明のいずれか１つにおいて、上記蓄熱戸は、一部に通気口を有し、残部の内部に蓄熱材を有することを特徴とする。
【００１８】
この第４の発明では、例えば冬季の昼間時に断熱戸が開き位置にありかつ蓄熱戸が閉じ位置にあるときに、その蓄熱戸内部の蓄熱材に太陽光の熱を蓄熱することができる。また、そのとき、蓄熱戸の両側が通気口によって連通した状態となるので、ガラス窓内側の暖かい空気を通気口を経て室内に送ることができるようになり、暖かい室内空間が得られる。
【００１９】
第５の発明は、第１〜第４の発明のいずれか１つにおいて、上記断熱戸の室内側面に熱線反射層が設けられていることを特徴とする。
【００２０】
この第５の発明では、例えば冬季の夜間時に断熱戸及び蓄熱戸が共に閉じ位置にあるときに、蓄熱戸から屋外側に放熱される長波放射を断熱戸の熱線反射層によって室内側に反射させることができ、その屋外側への放熱をさらに抑え、室内のみに放熱させて室内を暖めることができる。
【００２１】
第６の発明は、第１〜第５の発明のいずれか１つにおいて、上記蓄熱戸の蓄熱材は、潜熱蓄熱材であることを特徴とする。
【００２２】
この第６の発明では、潜熱蓄熱材として、ガラス窓近くの雰囲気温度で融解状態となる融解温度（相転移温度）を有するものを用いれば、例えば夏季に同温度付近では常に融解状態になり、潜熱蓄熱材の放熱状態（凝固に伴う放熱状態）を抑制することができる。
【００２３】
第７の発明は、第１〜第６の発明のいずれか１つにおいて、上記ガラス窓と断熱戸との間に熱緩衝空間が形成されていることを特徴とする。
【００２４】
この第７の発明では、ガラス窓と断熱戸との間に形成された熱緩衝空間により、室内側にサンルームの機能を有する空間を区画することができる。
【発明の効果】
【００２５】
以上説明したように、本発明の多機能建具によると、建物外壁のガラス窓の内側に、断熱材を有する断熱戸と、内部に蓄熱材を有する蓄熱戸とを屋外側から順に並べて設置し、それら断熱戸及び蓄熱戸を、ガラス窓を覆う閉じ位置と、ガラス窓を覆わない開き位置との間で互いに独立して移動可能に設けたことにより、断熱戸及び蓄熱戸の開閉位置を組み合わせてガラス窓周辺の温度環境を季節等に応じてコントロールすることができるとともに、断熱戸及び蓄熱戸を通常の戸と同様に開閉操作して組み合わせ、その組み合わせの切換えを容易に行うことができる。
【図面の簡単な説明】
【００２６】
【図１】図１は、本発明の実施形態に係る多機能建具の全体構成を示す斜視図である。
【図２】図２は、多機能建具の全体構成を模式的に示す断面図である。
【図３】図３は、断熱ルーバーが閉じた状態の断熱戸の正面図である。
【図４】図４は、断熱ルーバーが開いた状態の断熱戸の正面図である。
【図５】図５は、面材を取り除いた状態の断熱戸を示す正面図である。
【図６】図６は、断熱ルーバーの羽根板の拡大正面図である。
【図７】図７は、図６のVII−VII線拡大断面図である。
【図８】図８は、羽根板に対するビスの取付構造を示す斜視図である。
【図９】図９は、羽根板を回動可能に支持するための軸受部及びビスを示す斜視図である。
【図１０】図１０は、蓄熱戸の正面図である。
【図１１】図１１は、面材を取り除いた状態の蓄熱戸を示す正面図である。
【図１２】図１２は、夏季の昼間時の多機能建具の使用状態を模式的に示す断面図である。
【図１３】図１３は、夏季の夜間時の多機能建具の使用状態を示す図１２相当図である。
【図１４】図１４は、冬季の昼間時の多機能建具の使用状態を示す図１２相当図である。
【図１５】図１５は、冬季の夜間時の多機能建具の使用状態を示す図１２相当図である。
【発明を実施するための形態】
【００２７】
以下、本発明の実施形態を図面に基づいて詳細に説明する。以下の実施形態の説明は、本質的に例示に過ぎず、本発明、その適用物或いはその用途を制限することを意図するものでは全くない。
【００２８】
図１及び図２は本発明の実施形態に係る多機能建具Ａの全体構成を示し、１は住宅用や店舗用等の建物の外壁、２は外壁１に形成された開口部を開閉するガラス窓（窓）、３は外壁１の室内側に区画されてガラス窓２に面する室、４は室３内部の床、５は室３内部の天井である。多機能建具Ａは、ガラス窓２の室内側（室３の内部であって図１では左下側）にガラス窓２と近接して施工されており、新築の建物に備え付けで、又は既存の建物にリフォームのために後付けで設置されている。ガラス窓２は、下部が室３内の床４の高さと差がなくて開いたときに人が出入りできる大型の窓を含んでいる。尚、ガラス窓２は、外壁の開口部を開閉しない嵌め殺しの窓であってもよい。
【００２９】
多機能建具Ａは、ガラス窓２の室内側に施工された建具枠８と、この建具枠８に組み込まれた断熱戸１５及び蓄熱戸３０とを備えている。断熱戸１５はガラス窓２と少しの隙間を空けて配置され、蓄熱戸３０は、この断熱戸１５よりも室内側（ガラス窓２と反対側）に断熱戸１５と少しの隙間を空けて配置されている。これら２種類の戸１５，３０は、互いに同じ大きさを有する縦長板状のもので、いずれも例えば引戸タイプとされている。具体的には、ガラス窓２の室内側の床４には外壁１（ガラス窓２）に沿って平行に水平に延びる下枠としての敷居９が、またこの敷居９真上の天井５には上枠としての同様の鴨居１０がそれぞれ施工され、敷居９及び鴨居１０の室内側から見て左右端部間には上下方向に延びる竪枠１１，１１が一体的に接続されており、これら敷居９、鴨居１０及び竪枠１１，１１により、ガラス窓２よりも大きくてガラス窓２の全体を室内側から覆う大きさの建具枠８が構成されている。そして、断熱戸１５及び蓄熱戸３０は、各々の下端部が敷居９に、また上端部が鴨居１０にそれぞれレール等によってスライド移動可能に支持されていて、ガラス窓２に沿ってスライド移動するようになっている。
【００３０】
尚、図１において、６は断熱戸１５及び蓄熱戸３０を開き位置で収納するための控え壁である。
【００３１】
（断熱戸）
図３及び図４に拡大して示すように、上記断熱戸１５は縦長板状のもので、その左右中間部には、断熱戸１５を表裏方向に貫通する上下２つの矩形状開口部１８，１８が形成され、この各開口部１８には開閉式（可動式）の断熱ルーバー１９が設けられている。この断熱ルーバー１９は、水平左右方向に延びる複数枚（図示例では９枚）の羽根板２０，２０，…を有する。
【００３２】
断熱戸１５の構造について説明すると、図５に示すように、左右の縦框１５ａ，１５ａの上下端部間に上框１５ｂ及び下框１５ｃが組み付けられて枠状とされ、その内部に、水平横方向に延びる上下及び中間の横桟１５ｄ，１５ｄ，…と垂直縦方向に延びる左右の縦桟１５ｅ，１５ｅとにより上下の開口部１８，１８が区画形成されており、これらの開口部１８，１８を除く部分に表裏両側から面材１５ｆ（図３及び図４参照）が接着により一体的に張り付けられている。
【００３３】
そして、図６〜図８に示すように、断熱ルーバー１９の各羽根板２０は、内部に密閉空間からなる収容部２０ａを有する中空板状のもので、その収容部２０ａ（内部空間）に断熱材２１が充填されている。断熱材２１としては、繊維系断熱材や発泡系断熱材等の適宜のものが用いられる。このことで、断熱戸１５は、断熱ルーバー１９の各羽根板２０の内部に断熱材２１を有する断熱構造となっている。
【００３４】
また、上記各開口部１８周囲の左右側面を構成する縦桟１５ｅ，１５ｅには、各羽根板２０の取付位置に、図９に示すように、内部に中心孔２４が形成された円筒部２３ａと、この円筒部２３ａの一端に接続され、周方向に並んだ複数の取付孔２３ｃ，２３ｃ，…が形成されたフランジ部２３ｂとを有する軸受部２３が、その円筒部２３ａを開口部１８内に突出させてフランジ部２３ｂにて取付固定されている。そして、図６及び図８に示すように、ビス２６を左右の縦桟１５ｅ，１５ｅにその外側（開口部１８と反対側）から貫通させて軸受部２３の中心孔２４に挿通させ、各羽根板２０の左右側面の幅方向中央部にねじ込むことにより、各羽根板２０を左右両側から左右の縦桟１５ｅ，１５ｅにビス２６，２６を回転軸として回動可能に支持している（尚、予め縦桟１５ｅ及び羽根板２０にそれぞれビス２６の挿通孔を設けておいてもよい）。そして、各羽根板２０を表裏面が断熱戸１５の表裏面と平行になるように回動させたときには、図３に示すように、ルーバー１９を閉じ状態にして、断熱戸１５両側の空間が各開口部１８を経由して連通するのを遮断する一方、各羽根板２０を表裏面が断熱戸１５の表裏面と直交するように回動させたときには、図４に示すように、ルーバー１９を開き状態にして断熱戸１５両側の空間が各開口部１８の羽根板２０，２０間の隙間を経由して連通するようになっている。
【００３５】
上記羽根板２０の幅方向の一方の表面及び他方の裏面にはそれぞれ段差状に切り欠かれた段差部２０ｂ，２０ｂが形成されており、ルーバー１９が閉じ状態にあるとき、羽根板２０の幅方向端部の段差部２０ｂに、その羽根板２０と隣接する羽根板２０の幅方向端部の段差部２０ｂ以外の部分を合決り状に重ねて、複数の羽根板２０，２０，…の表裏面が面一状に連続するようにしている。
【００３６】
尚、上記ルーバー１９は、複数の羽根板２０，２０，…を個別に回動させることで開閉されるようになっているが、複数の羽根板２０，２０，…をリンク機構等で連結して互いに連動して回動させることによりルーバー１９を開閉させるようにしてもよい。
【００３７】
また、断熱戸１５は、ルーバー１９における各羽根板２０の内部に断熱材２１を充填するだけでなく、ルーバー１９（開口部１８）以外の部分に形成される内部空間にも断熱材２１を充填するようにしてもよい。
【００３８】
（蓄熱戸）
図１０及び図１１に拡大して示すように、上記蓄熱戸３０は縦長板状のもので、その左右中間部の上側には蓄熱戸３０を表裏方向に貫通する矩形状の通気口３３が形成され、この通気口３３には固定ルーバー３４が設けられている。この固定ルーバー３４は、水平左右方向に延びる複数枚（図示例では６枚）の薄板からなる羽根板３５，３５，…（ガラリ）を有し、これらの羽根板３５，３５，…は上下方向に一定の間隔（例えば４０ｍｍ）を空けて配置されている。
【００３９】
蓄熱戸３０の構造について説明すると、図１１に示すように、断熱戸１５と同様に、左右の縦框３０ａ，３０ａの上下端部間に上框３０ｂ及び下框３０ｃが組み付けられて枠状とされ、その内部に、水平横方向に延びる上下及び中間の横桟３０ｄ，３０ｄ，…と垂直縦方向に延びる左右の縦桟３０ｅ，３０ｅとにより上側の通気口３３が区画形成されており、この通気口３３を除く部分に表裏両側から面材３０ｆ（図１０参照）が接着により一体的に張り付けられている。また、各羽根板３５は、その表裏面が蓄熱戸３０の表裏面と平行に配置され、左右端部が通気口３３の周囲の左右側面（縦桟３０ｅ，３０ｅ）に回動不能に取付固定されている。
【００４０】
そして、蓄熱戸３０の内部において、通気口３３下側には左右の縦桟３０ｅ，３０ｅ、中間及び下側の横桟３０ｄ，３０ｄに囲まれる部分に蓄熱収容部３７が設けられている。この蓄熱収容部３７は、例えば矩形状の外枠３８と、その外枠３８内を複数（図示例では８つ）の矩形状の蓄熱収容空間４０，４０，…に仕切る縦横の仕切り部材３９，３９，…とを備え、各蓄熱収容空間４０は蓄熱戸３０の表裏の面材３０ｆ，３０ｆで閉じられた密閉空間に区画されており、この各蓄熱収容空間４０内に蓄熱材４１が充填されている。各蓄熱材４１は、例えばパラフィンワックス及びエラストマーの混合物からなる潜熱蓄熱材であり、蓄熱収容空間４０に対してアルミパック等の収容体に収容された状態で充填されている。潜熱蓄熱材は、例えばガラス窓２近くの雰囲気温度で融解状態となる融解温度（相転移温度）を有するものを用いることが好ましい。以上の構造により、蓄熱戸３０は、上部（一部）に通気口３３を有し、下部（残部）の内部に蓄熱材４１を有する蓄熱構造となっている。
【００４１】
尚、通気口３３及び蓄熱収容部３７の位置はそれぞれ蓄熱戸３０の上部及び下部に限定されず、蓄熱戸３０の一部に通気口３３が形成され、残部の内部に蓄熱材４１が充填されていればよい。
【００４２】
また、蓄熱戸３０の通気口３３に固定ルーバー３４の代わりに、断熱戸１５の断熱ルーバー１９と同様に開閉可能な開閉式のルーバーを設けることもできる。
【００４３】
また、蓄熱材４１は、潜熱蓄熱材に限定されず、水等の顕熱蓄熱材であってもよい。
【００４４】
以上の構成の断熱戸１５及び蓄熱戸３０は、ガラス窓２に重なるように配置されて該ガラス窓２を覆う閉じ位置と、ガラス窓２に重ならないように配置されて該ガラス窓２を覆わない開き位置との間で互いに独立してスライド移動可能に設けられており、それら断熱戸１５及び蓄熱戸３０の開閉切換えパターンとして、例えば夏季では、図１２及び図１３に示すように、蓄熱戸３０が開き位置に移動しかつ断熱戸１５が閉じ位置に移動する一方、冬季の昼間では、図１４に示すように、断熱戸１５が開き位置に移動しかつ蓄熱戸３０が閉じ位置に移動し、夜間では、図１５に示すように、断熱戸１５及び蓄熱戸３０が閉じ位置に移動するように構成されている。
【００４５】
したがって、上記実施形態においては、ガラス窓２の室内側に、断熱材２１を有する断熱戸１５と、その断熱戸１５の室内側に位置し、内部に蓄熱材４１を有する蓄熱戸３０とを組み合わせた多機能建具Ａが施工され、それらの断熱戸１５及び蓄熱戸３０がガラス窓２を覆う閉じ位置とガラス窓２を覆わない開き位置とに独立してスライド移動可能であるので、断熱戸１５と蓄熱戸３０との開閉位置を組み合わせてガラス窓２周辺の温度環境を季節等に応じてコントロールすることができる。例えば夏季では、図１２及び図１３に示すように、蓄熱戸３０が開き位置に移動しかつ断熱戸１５が閉じ位置に移動するように開閉切換えすることができる。このように夏季において、蓄熱戸３０が開き位置に移動しかつ断熱戸１５が閉じ位置に移動すると、閉じ位置にある断熱戸１５（羽根板２０内の断熱材２１）によりガラス窓２の部分（外壁１の開口部）が断熱され、例えば冷房で冷やした室内の冷気の熱がガラス窓２の部分から屋外に逃げるのを抑制することができる。
【００４６】
一方、冬季の昼間では、図１４に示すように、断熱戸１５が開き位置に移動しかつ蓄熱戸３０が閉じ位置に移動するように開閉切換えすることができる。このように冬季の昼間では、断熱戸１５が開き位置に移動しかつ蓄熱戸３０が閉じ位置に移動することで、ガラス窓２から入射した太陽光の熱が直接に蓄熱戸３０に届いて蓄熱材４１に蓄熱され、この蓄熱材４１に蓄熱された熱を室内に放熱して室内を暖めることができる。
【００４７】
また、冬季の夜間では、図１５に示すように、断熱戸１５及び蓄熱戸３０がいずれも閉じ位置に移動するように組み合わせることができる。このように冬季の夜間では、断熱戸１５及び蓄熱戸３０がいずれも閉じ位置に移動することで、昼間に蓄熱戸３０の蓄熱材４１に蓄熱された熱が屋外に逃げるのは断熱戸１５によって抑制され、室内のみに放熱させて室内を暖めることができる。
【００４８】
また、上記実施形態では、断熱戸１５と蓄熱戸３０とはいずれも建具Ａの戸としての形態を有するので、その戸１５，３０を通常の戸と同様に開閉操作するだけで断熱戸１５と蓄熱戸３０とが組み合わされるようになり、その組み合わせの切換えを容易に行うことができる。
【００４９】
さらに、断熱戸１５は、内部空間に断熱材２１が充填された羽根板２０，２０，…を有する開閉式の断熱ルーバー１９を備えているので、例えば夏季に断熱戸１５が閉じ位置にあるときに、昼間時では、図１２に示すようにルーバー１９を開き、夜間時では、図１３に示すようにルーバー１９を閉じるようにすればよい。このように、昼間時にルーバー１９を開くことで、この開いたルーバー１９によって断熱戸１５の両側が連通した状態となり、断熱戸１５が閉じ位置にあっても光や空気、風等を室内に取り入れることができる。一方、ルーバー１９を閉じることで、ガラス窓２が断熱戸１５のルーバー１９における羽根板２０内の断熱材２１により断熱され、例えば冷房で冷やした室内の冷気の熱が屋外に逃げるのを抑制することができる。
【００５０】
また、蓄熱戸３０は、上部（一部）に通気口３３を有し、下部（残部）の内部に蓄熱材４１を有するので、例えば冬季の昼間時に断熱戸１５が開きかつ蓄熱戸３０が閉じ位置にあるときに（図１４参照）、その蓄熱戸３０内部の蓄熱材４１に太陽光の熱を蓄熱することができる。また、そのとき、蓄熱戸３０の両側の空間が通気口３３によって連通した状態となるので、ガラス窓２内側の暖かい空気を通気口３３を経て室３内に送ることができるようになり、暖かい室内空間が得られる。
【００５１】
そして、蓄熱材４１として、ガラス窓２近くの雰囲気温度で融解状態となる融解温度（相転移温度）を有する潜熱蓄熱材を用いると、例えば夏季に同温度付近では常に融解状態になり、潜熱蓄熱材の放熱状態（その凝固に伴う放熱状態）を抑制することができる。
【００５２】
（その他の実施形態）
上記実施形態では、断熱戸１５の開口部１８に断熱ルーバー１９を設け、その各羽根板２０の内部に断熱材２１を充填しているが、例えば断熱戸１５は開口部１８（断熱ルーバー１９）がないものとすることができ、その場合には、断熱戸１５の全体の内部に断熱材２１を充填するようにすればよい。
【００５３】
また、上記実施形態において、断熱戸１５の室内側面、例えば室内側にある面材や断熱ルーバー１９が閉じたときの各羽根板２０の室内側表面に熱線反射層を設けてもよい。この熱線反射層は、熱線反射フィルムを張り付けたり熱線反射塗料を塗布したりすることによって形成することができる。こうすると、例えば冬季の夜間時に断熱戸１５及び蓄熱戸３０が共に閉じ位置にあるときに（図１５参照）、蓄熱戸３０から屋外側に放熱される長波放射を断熱戸１５の熱線反射層によって室内側に反射させることができ、その屋外側への放熱をさらに抑え、室内のみに放熱させて室内を暖めることができる利点が得られる。
【００５４】
また、上記実施形態では、多機能建具Ａの断熱戸１５はガラス窓２と少しの間隔を空けて配置されているが、この断熱戸１５（多機能建具Ａ）をガラス窓２に対し所定の間隔以上に離して、断熱戸１５とガラス窓２との間に比較的大きな熱緩衝空間を形成するようにしてもよい。こうすれば、ガラス窓２と断熱戸１５との間に形成された熱緩衝空間により、室内側にサンルームの機能を有する空間を区画することができる。
【００５５】
また、上記実施形態では、断熱戸１５及び蓄熱戸３０をいずれも引戸タイプのもので構成しているが、断熱戸１５及び蓄熱戸３０の一方又は双方は引戸以外のタイプの戸としてもよい。
【産業上の利用可能性】
【００５６】
本発明は、ガラス窓周辺の温度環境を季節等に応じてコントロールすることができ、断熱戸及び蓄熱戸を通常の戸と同様に開閉操作して組み合わせの切換えを容易に行うことができるので、極めて有用である。
【符号の説明】
【００５７】
Ａ  多機能建具
１  外壁
２  ガラス窓
８  建具枠
９  敷居
１０  鴨居
１５  断熱戸
１８  開口部
１９  断熱ルーバー
２０  羽根板
３０  蓄熱戸
３３  通気口
３７  蓄熱収容部
４１  蓄熱材
【図１】
2017089166.tif 000003
【図２】
2017089166.tif 000004
【図３】
2017089166.tif 000005
【図４】
2017089166.tif 000006
【図５】
2017089166.tif 000007
【図６】
2017089166.tif 000008
【図７】
2017089166.tif 000009
【図８】
2017089166.tif 000010
【図９】
2017089166.tif 000011
【図１０】
2017089166.tif 000012
【図１１】
2017089166.tif 000013
【図１２】
2017089166.tif 000014
【図１３】
2017089166.tif 000015
【図１４】
2017089166.tif 000016
【図１５】
2017089166.tif 000017